(57)【要約】      （修正有）【課題】オイルフィルタに適用する磁気化装置において、アセンブリ方式の設計が採用され、その仕様（寸法）を選択的に変更でき、取付けに便利で、高い適用性を有し、コストの低下の効果があるものを提供する。【解決手段】オイルフイルタに適用する磁気化装置は、弾性金属プレートと、複数のキャリアーと、複数の磁石とを含む。当該キャリアーはそれぞれが少なくとも一つの収納溝を設置し、かつ、当該弾性金属プレート上に設置される。当該磁石のそれぞれが当該収納溝に設置される。【選択図】図３
0003113121.tif 000002
【実用新案登録請求の範囲】
【請求項１】
オイルフイルタに適用する磁気化装置であって、
弾性金属プレートと、それぞれが少なくとも一つの収納溝を設置し、当該弾性金属プレートに設置される複数のキャリアーと、夫々が当該収納溝に設置される複数の磁石と、を含むことを特徴とするオイルフイルタに適用する磁気化装置。
【請求項２】
これらのキャリアーは湾曲があることを特徴とする請求項１に記載するオイルフイルタに適用する磁気化装置。
【請求項３】
これらの収納溝は当該キャリアーに対向する両面を貫通し、これらの磁石の外側のそれぞれに仕切り板を有することを特徴とする請求項１に記載するオイルフイルタに適用する磁気化装置。
【請求項４】
当該弾性金属プレートの上縁部と下縁部のそれぞれは複数のキャリアーと対応する固着部を形成するように曲げられ、キャリアーを上、下の二つの固着部に設置することを特徴とする請求項３に記載するオイルフイルタに適用する磁気化装置。
【請求項５】
これらのキャリアーと固着部では対応する凹点と凸点を設け、これらの凹点と凸点が互いに係合することを特徴とする請求項４に記載するオイルフイルタに適用する磁気化装置。
【請求項６】
当該弾性金属プレートとキャリアーの表面が軟性の保護キャップを被覆することを特徴とする請求項４に記載するオイルフイルタに適用する磁気化装置。
【考案の詳細な説明】
【技術分野】
【０００１】
本考案は、オイルフイルタに適用する磁気化装置に関し、特にオイルフイルタ上に取付けされることに適用し、オイル中の鉄粉、雑質を吸着することができると共に、アセンブリ方式の設計を採用し、弾性的に変形し、高い適用性を有する磁気化装置に関するものである。
【背景技術】
【０００２】
図1は、オイルフイルタ上に取付けられる従来の磁気化装置を示す。当該磁気化装置５が円弧形の基座５１を有し、当該磁気化装置５１上に複数の強力磁石５２が取付けられ、これらの強力磁石５２が底座51内縁に配列されて密着に固着する。
【０００３】
図２を参照しながら説明する。当該磁気化装置５はオイルフイルタ６上に取付けることができ、即ち、当該磁気化装置５がオイルフイルタ６の外壁６１上に固定され、こうして、オイルフイルタ６内に磁界を形成し、かつ、当該磁気化装置５の強力磁石５２がオイルフイルタ６の外殼６１に、オイル中の鉄粉、雑質を吸着して良い過濾効果を達することができる。
【０００４】
しかし、前記の従来の磁気化装置は、その基座が固定のものであり、仕様（サイズ）が固定である。しかし、実際に使用する時、様々なオイルフイルタの仕様があり、それぞれのメーカーごとにサイズも異なるので、オイルフイルタに設置する際の不便を招き、その使用性が悪くなる。各種の異なる仕様のオイルフイルタを取付けるために、各種の異なる磁気化装置に応じて金型を作ることを必要とすることもあるから、コストが大幅に増加する結果を招く。
【０００５】
さらに、従来の磁気化装置は、複数の強力磁石がその基座上に取付けられており、こうして、コストの増加を招くと共に、これらの強力磁石の数を実際の必要に応じて選択的に変更することができない。
【０００６】
したがって、以上のように、前記の従来の磁気化装置は、実際に使用する時には、明らかな不便と欠点を有するので、改善する必要がある。
そこで、本考案は前記欠点に鑑みてなされたものである。
【考案の開示】
【考案が解決しようとする課題】
【０００７】
本考案の主な目的はオイルフイルタに適用する磁気化装置を提供するすることにある。アセンブリ方式の設計が採用され、仕様（寸法）が選択的に変更でき、取付けに便利であり、最良の適用度を有するので各種のメーカ製のオイルフイルタに適用できると共に、新しい金型を作り直す必要はなくコストの低下の効果がある。
【０００８】
本考案の別の目的は、オイルフイルタに適用する磁気化装置を提供するすることにある。アセンブリ方式の設計が採用され、磁石の選択を、実際のニーズに応じて選択的に組立を変更することが可能であり、コストを低下させる
【課題を解決するための手段】
【０００９】
前記の目的を達成するために、本考案はオイルフイルタに適用する磁気化装置を提供し、それが、弾性金属プレートと、それぞれが少なくとも一つの収納溝を設置し、当該弾性金属プレート上に設置される複数のキャリアーと、夫々が当該収納溝に設置される複数の磁石と、を含む。
【考案の効果】
【００１０】
本考案は主としてアセンブリ方式の設計が採用され、その仕様（寸法）を選択的に変更でき、取付けに便利で、高い適用性を有し、コストの低下の効果がある。
【考案を実施するための最良の形態】
【００１１】
本考案の特徴と技術内容をより一層明瞭にするために、本考案に係る詳細な説明を添付図面を参照しながら行う。
図３と図４を参照して本考案に係るオイルフイルタに適用する磁気化装置を説明する。当該磁気化装置１は複数のキャリアー１１と複数の磁石１２及び弾性金属プレートを含み、当該キャリアー１１が導体、非導体の金属、或いはプラスチック材により構成され、平坦状の長方形を呈し、かつ適当な弧度（湾曲）を有する。当該キャリアー１１上に収納溝１１１を設け、当該収納溝１１１はキャリアー１１の対向する面が貫通されている。当該収納溝１１１の大きさと形状に限定はなく、長方形、円形或いは他の適当な形状でもよい。本実施例では当該収納溝１１１は長方形である。本考案のキャリアー１１の設置数に限定はない。オイルフイルタの仕様と実際のニーズに応じて選択的にキャリアー１１の数を変更することが可能である。
【００１２】
当該磁石１２のそれぞれは当該キャリアー１１における収納溝１１１に設置され、当該磁石１２が粘着等の方法によりキャリアー１１に適度に固着される。当該磁石１２が強力な磁石或いは普通の磁石でもよく、当該磁石１２の仕様、形状及び数量に限定はない。その外形が長方形、円形或いは他の適当な形状でもよい。本実施例では当該磁石１２は長方形である。強力な磁石がない場合は、当該キャリアー１１に設置される収納溝１１１の一部の磁石１２を同じな形状のプラスチック材により代わられる。当該磁石１２の外側にはステンレス材により構成される仕切り板１４をそれぞれに有し、当該仕切り板１４はキャリアー１１の一面が対応される凹溝１１２に収納され、当該仕切り板１４は消磁気の効果があり、磁石１２の外への吸着力を低下することに使用され、製品の裏に磁気が出ないので、周囲の汚れを吸着するような副作用がなく、かつ磁界が周囲の電子設備に影響することを避ける。
【００１３】
当該弾性金属プレート１３が弾性がよい金属プレートからなり、上縁部と下縁部のそれぞれは複数のキャリアーと対応する固着部１３１を形成するように曲げられ、キャリアー１１のそれぞれを上、下の固着部１３１に設置することができる。キャリアー１１と固着部１３１では、対応する凹点１１３と凸点１３２を設け、これらの凹点１１３と凸点１３２が互いに係合し、キャリアー１１を弾性金属プレート１３における固着部１３１にしっかり係合させる。当該キャリアー１１を当該弾性金属プレート１３上に設置し、当該弾性金属プレート１３が撓むので、当該弾性金属プレート１３により当該キャリアー１１は挟まれて接続し合うことが可能である。キャリアー１１をオイルフイルタの外壁に適当に固着させる。なお、当該弾性金属プレート１３及びキャリアー１１の表面にはゴムからなる軟性保護キャップ１５を被覆し、以上の組合せにより本考案に係るオイルフイルタに適用する磁気化装置を完成する。
【００１４】
図５、図６、図７及び図８に示すように、本考案の磁気化装置１はアセンブリ方式の設計が採用され、キャリアー１１の設置数はオイルフイルタ２の仕様、放置方式及び実際のニーズに応じて選択的に変更できる。当該磁気化装置１を異なる長さで組合わせ、また、当該磁気化装置１がオイルフイルタ２の二分の一の円周（図５のように）、三分の二の円周（図６のように）、全ての円周（図７、図８のように）を被覆できる。
【００１５】
当該キャリアー１１はオイルフイルタ２の上に設置されることで、オイルフイルタ２の内に磁界を形成でき、当該磁気化装置１の磁石１２がオイルフイルタ２の外壁２１を通じてオイル中の鉄屑、屑を吸着しフィルタを最良の状態に保つ。
【００１６】
本考案は様々な大きさのリング形状をとることによりいかなるメーカのサイズのオイルフイルタの外壁にも自由に固定することができ、すぐにオイルフイルタの内部に強力なリング状の磁界を発生して、オイルフイルタ内のマイクロサイズの金属混合鉄屑を吸着すると共に、オイルの分子構造を活性にし、エンジンの運転の際にオイルの潤滑度を高めるようになる。
【００１７】
本考案は鉄屑による摩擦、発熱、摩損を低下し、ひいてはメンテナスの費用を低下させ、エンジンの運転において、有効に騒音を低下することができる。本考案の取付けは快速、便利なので効果が直ちに見える。かつ、本考案は繰り返して使用でき長く使用できる。よって、エンジンとオイルの寿命を伸ばし、エンジンの性能を高め、馬力をアップしガソリンを節約できるようにする。
【００１８】
本考案の磁気化装置１はアセンブリ方式の設計が採用され、仕様（寸法）が選択的に変更できるので、異なる仕様のオイルフイルタに応じて対応する磁気化装置１を組立てる。また、当該キャリアー１１は弾性金属プレート１３に挟まれて接続され、異なる仕様のオイルフイルタの外壁上に適当に固着され、磁気化装置１が取付けられる。それが高い適用性を有するので、各種のメーカのサイズのオイルフイルタに適用でき、かつ、金型を作り直す必要が無くなりコスト低下の効果がある。
【００１９】
更に、本考案の磁気化装置１はアセンブリ方式の設計が採用されるので、磁石１２の選択は実際の必要に応じて選択的に変更することができ、大きい磁界の必要がない場合は、普通の磁石を使用するか一部の磁石１２をプラスチック材に取り替えて、コストを低下させる。
【００２０】
上記の詳細な説明は、単に本考案の最良の実施例であり、本考案がこれにより限定されるものではない。従って、本考案の明細書と図面内容から想到されるいかなる変形例も、共に本考案の請求項の範囲に含まれる。
【図面の簡単な説明】
【００２１】
【図１】従来に係る磁気化装置の立体図を示す。
【図２】従来に係る磁気化装置がオイルフイルタに取付けられる立体図を示す。
【図３】本考案に係る磁気化装置の立体分解図を示す。
【図４】本考案に係る磁気化装置の立体図を示す。
【図５】本考案に係る磁気化装置の使用状態の概略図（一）を示す。
【図６】本考案に係る磁気化装置の使用状態の概略図（二）を示す。
【図７】本考案に係る磁気化装置の使用状態の概略図（三）を示す。
【図８】本考案に係る磁気化装置の使用状態の概略図（四）を示す。
【符号の説明】
【００２２】
５  磁気化装置
５１基座
５２  強力磁石
６  オイルフイルタ
６１  外壁
１  磁気化装置
１１  キャリアー
１１１  収納溝
１１２  凹溝
１１３  凹点
１２  磁石
１３  弾性金属プレート
１３１  固着部
１３２凸点
１４  仕切り板
１５  軟性保護キャップ
２  オイルフイルタ
２１  外壁
【図１】
0003113121.tif 000003
【図２】
0003113121.tif 000004
【図３】
0003113121.tif 000005
【図４】
0003113121.tif 000006
【図５】
0003113121.tif 000007
【図６】
0003113121.tif 000008
【図７】
0003113121.tif 000009
【図８】
0003113121.tif 000010